(57)【要約】【課題】従来のハイブリット式温風暖房器では、一方のヒータ部に運転を妨げる異常が発生したとき、他方のヒータ部によって暖房運転を継続させていたが、使用者がその異常を直ちに認識できず、異常状態が放置される場合があった。【解決手段】ガス及び電気の各ヒータ部に、これらの各ヒータ部の暖房運転を妨げる異常を検知する異常検知手段をそれぞれ設ける。暖房運転中に前記異常検知手段によって一方のヒータ部の異常が検知されたとき、器具の暖房運転を一旦停止する。運転再開時に、前記異常が生じていない他方のヒータ部を作動して暖房運転を行う。【選択図】  図４
2004184039.tif 000002
【特許請求の範囲】
【請求項１】
前面に第１及び第２の吹出口と、後面に第１及び第２の吸気口とを設けた筐体を備え、ガスバーナ及びこのガスバーナの下方に配置され、ガスバーナからの燃焼ガスと第１吸気口から筐体内に吸込まれた空気とを混合して第１吹出口から室内に吹出す第１送風ファンとから構成されるガスヒータ部と、第２吸気口から吸込まれた空気を加熱する電気ヒータ及び加熱された空気を第２吹出口から室内に吹出す第２送風ファンとから構成される電気ヒータ部とを、両ヒータ部の送風系が相互に独立するように区画して筐体に内蔵したハイブリット式温風暖房器であって、
ガス及び電気の各ヒータ部に、これらの各ヒータ部の暖房運転を妨げる異常を検知する異常検知手段をそれぞれ設け、暖房運転中に前記異常検知手段によって一方のヒータ部の異常が検知されたとき、器具の暖房運転を一旦停止し、運転再開時に前記異常が生じていない他方のヒータ部を作動して暖房運転を行うことを特徴とするハイブリット式温風暖房器。
【請求項２】
前記異常検知手段は、器具の過熱を防止する温度センサであることを特徴とする請求項１記載のハイブリット式温風暖房器。
【発明の詳細な説明】
【０００１】
【発明の属する技術分野】
本発明は、ガスヒータと電気ヒータとを１個の筐体に内蔵したハイブリット式温風暖房器に関する。
【０００２】
【従来の技術】
従来、ハイブリット式温風暖房器としては、例えば燃焼ヒータ部と電気ヒータ部とを筐体に内蔵し、１個の送風ファンで送風系を形成するものは知られている（特許文献１）。ここで、燃焼ヒータ部と電気ヒータ部とを同時に暖房運転している場合に、燃焼ヒータ部に燃料切れなどの異常が発生したとき、電気ヒータ部のみによって暖房運転を継続させている。
【０００３】
即ち、上記のものでは、燃焼ヒータ部への燃料切れを検知するセンサ等の異常検知手段を設け、燃焼及び電気の各ヒータ部による同時暖房運転中または燃焼ヒータ部の暖房運転中に、この異常検知手段が燃焼ヒータ部の異常を検知したとき、燃焼ヒータ部の作動を停止させ、電気ヒータ部のみによって暖房運転を継続させて、使用者の利便を図っている（特許文献１）。
【０００４】
【特許文献１】
特開平５−３２２３１２号公報（例えば、請求項９の記載）
【０００５】
【発明が解決しようとする課題】
しかしながら、上記のものでは、燃焼ヒータ部の異常が発生した場合、自動的に電気ヒータ部のみによる暖房運転に切換わるので、燃焼ヒータ部に異常が生じたことを器具の使用者が直ちに認識できず、異常状態が放置されるという問題があった。この場合、例えば器具にブザー等を設けて警告音を発するようにしてもよいが、器具の周辺に使用者がいないと、結局異常を知ることはできない。発生した異常によっては専門業者による修理を要する場合もあり、使用者が異常状態を早期に認識して、この異常状態を解除する措置を取ることができるようにした方が安全であり、好ましい。
【０００６】
そこで、本発明は、上記点に鑑み、暖房運転中にいずれかのヒータ部に作動を妨げる異常が発生した場合にその異常を使用者が直ちに認識できて安全性が高く、その上、異常が解除されるまでの間も器具を使用できて利便性が高いハイブリット式温風暖房器を提供することを課題とするものである。
【０００７】
【課題を解決するための手段】
上記課題を解決するため、本発明のハイブリット式温風暖房器は、前面に第１及び第２の吹出口と、後面に第１及び第２の吸気口とを設けた筐体を備え、ガスバーナ及びこのガスバーナの下方に配置され、ガスバーナからの燃焼ガスと第１吸気口から筐体内に吸込まれた空気とを混合して第１吹出口から室内に吹出す第１送風ファンとから構成されるガスヒータ部と、第２吸気口から吸込まれた空気を加熱する電気ヒータ及び加熱された空気を第２吹出口から室内に吹出す第２送風ファンとから構成される電気ヒータ部とを、両ヒータ部の送風系が相互に独立するように区画して筐体に内蔵したハイブリット式温風暖房器であって、ガス及び電気の各ヒータ部に、これらの各ヒータ部の暖房運転を妨げる異常を検知する異常検知手段をそれぞれ設け、暖房運転中に前記異常検知手段によって一方のヒータ部の異常が検知されたとき、器具の暖房運転を一旦停止し、運転再開時に前記異常が生じていない他方のヒータ部を作動して暖房運転を行うことを特徴とする。
【０００８】
本発明によれば、異常検知手段によって一方のヒータ部の運転を妨げる異常が検知されたとき、各ヒータ部の暖房運転状態にかかわらず全面的に暖房運転を一旦停止する。このため、使用者は、暖房運転が停止されたことで何らかの異常が器具に発生したことを早期に認識できるので、使用者はこの異常状態を解除するための措置を早期に取ることができて安全性が高い。そして、使用者が異常を認識した後、運転の再開を指示したときは、前記異常が生じていない他方のヒータ部を作動して暖房運転を行う。このため、一方のヒータ部に異常が生じている状態でも、正常なヒータ部での暖房運転ができるので、使用者の利便が図られる。
【０００９】
尚、前記異常検知手段は、例えば器具の過熱を防止する温度センサとすればよい。
【００１０】
【発明の実施の形態】
図１乃至図３を参照して、１は、本発明のハイブリット式温風暖房器である。この温風暖房器（以下、「器具」という）１は箱状の筐体１１を有する。筐体１１の上面には、器具１の暖房運転を制御する操作部２が設けられている。この操作部２は、運転スイッチ２１と、設定温度や時刻を表示するディスプレイ２２と、所定の設定を器具内に設けたマイコン（図示せず）に指示する設定スイッチ２３と、運転スイッチ上下に配置した設定変更スイッチ２４とから構成される。筐体１１内には、上側にガスヒータ部３が、下側に電気ヒータ部４が内蔵されている。この場合、筐体１１の前面に、第１吹出口１２ａ及び第２吹出口１２ｂを、筐体１１の後面に第１吸気口１３ａ及び第２吸気口１３ｂを、ガスヒータ部３及び電気ヒータ部４に対応させて形成し、後述するように２個の送風ファンを使用してガスヒータ部３と電気ヒータ部４との送風系を相互に独立のものとしている。
【００１１】
ガスヒータ部３は、メインガスバーナ３０と、メインガスバーナ３０の下方に配置され、メインガスバーナ３０に燃焼用空気を供給すると共に、このメインガスバーナ３０からの燃焼ガスと第１吸気口１３ａから筐体１１に吸込まれた空気とを混合して室内に吹出す第１送風ファン３１とから構成されている。メインガスバーナ３０は、全一次空気式の燃焼板バーナであり、筐体１１内に配置した電磁安全弁５１及び比例制御弁５２が接続されたガス管（図示せず）の先端に装着されたガスノズル５３が臨む燃料ガス／空気の吸入口３０１と、この吸入口３０１に連通する混合管部３０２とを形成したバーナ本体３０ａを有する。バーナ本体３０ａの開口した上面には、分布板３０３を介して複数の炎口が列設されたセラミック製の燃焼板３０４が装着されている。このメインガスバーナ３０は燃焼筐３０５に収納されている。
【００１２】
バーナ本体３０ａにはまた、燃焼板３０４の下方に位置して酸欠検知バーナ３０６が装着されている。この酸欠検知バーナ３０６は二次空気を必要とする小型のガスバーナであり、燃焼板３０４の上方に配置した熱電対ＴＣと共に酸欠対策のための安全装置である酸欠検知手段を構成する。この場合、熱電対ＴＣからの起電力で電磁安全弁５１を開弁保持し、酸欠時に酸欠検知バーナ３０６が不安定燃焼して起電力が所定の電圧以下になると、電磁安全弁５１を閉弁し、メインガスバーナ３０の一次空気不足による不安定燃焼を停止させる。
【００１３】
さらに、筐体１１内には、燃焼筐３０５の上方を囲うように、後述の第１送風ファン３１の作動により第１吸気口１３ａから筐体１１内に吸込まれた空気と燃焼筐３０５からの燃焼ガスとを所定の距離だけ流れるまで区画する分流板６１が設けられている。この分流板６１を覆うと共に分流板６１との間で第１送風ファン３１に通じる空気通路６２が形成されるように隔壁６３が筐体１１内に設けられている。この隔壁６３の外壁面には、ガスヒータ部３の異常過熱を検知するため、例えばサーミスタから構成される異常検知手段である温度センサＳ１が設けられている。この温度センサＳ１によって検知された温度が所定の温度を超えるとガスヒータ部３の暖房運転が停止される。
【００１４】
バーナー本体３０ａの下側に配置された第１送風ファン３１は、第１吹出口１２ａに通じる送風ダクト３１１ａが形成されたハウジング３１１を有する。ハウジング３１１内には、回転数の制御が可能な第１モータ３１２に接続されたクロスフロー式の第１回転羽根３１３が配置されている。この場合、空気通路６２とハウジング３１１の内部空間とは、ハウジング３１１の上面開口３１１ｂを介して連通している。
【００１５】
これにより、第１吸気口１３ａから第１吹出口１２ａに通じるガスヒータ部３の送風系が形成される。そして、第１モータ３１２を駆動して第１回転羽根３１３を回転させると、筐体１１内に吸気口１３ａから室内の空気が吸い込まれ、バーナ本体３０ａの吸入口３０１に空気が供給されると共に、空気通路６２を空気が流れる。この場合、吸入口３０１にガスノズル５３を介して燃料ガスを噴射すると混合気が燃焼板３０４に供給される。尚、空燃比は、第１モータ３１２を制御して第１回転羽根３１３の回転数を制御することで調節される。燃焼筐３０５からの燃焼ガスは、分流板６１の内側の燃焼ガス通路６４を通って第１送風ファン３１方向に吸引される。空気通路６２には第１吸気口１３ａから吸引された空気が流れ、分流板６１を介して熱交換された後、この分流板６１の下流端で燃焼ガスと空気とが混合されて温度低下し、開口３１１ｂを介してハウジング３１１内に流入する。そして、温風が吹出口１２ａを介して室内に放出される。
【００１６】
一方、電気ヒータ部４は樹脂製のケース４１内に収納され、第２吸気口１３ｂから第２吹出口１２ｂに通じる送風通路４２を有する。この場合、電気ヒータ部４を小型化するため、送風通路４２は、器具１の上方から水平方向に屈曲させて形成されている。この送風通路４２の屈曲させた屈曲部４２ａには第２送風ファン４３が設けられている。第２送風ファン４３は、回転数の制御が可能な第２モータ４３１と、この第２モータ４３１に接続され屈曲部４２ａに配置されたクロスフロー式の第２回転羽根４３２とから構成されている。この屈曲部４２ａの下流側には、８本のシーズヒータ４４が設けらている。また、送風通路４２の外壁面には、電気ヒータ部４の異常過熱を検知するため、例えばサーミスタから構成される異常検知手段である温度センサＳ２が設けられている。この温度センサＳ２によって検知された温度が所定の温度を超えると電気ヒータ部４の暖房運転を停止する。
【００１７】
これにより、第２吸気口１３ｂから第２吹出口１２ｂに通じる電気ヒータ部４の送風系が形成される。そして、第２モータ４３１を駆動させて第２回転羽根４３２を回転させると、第２吸気口１３ｂを介して室内の空気が送風通路４２に吸い込まれ、この空気がシーズヒータ４４の周囲を通過する間に加熱され、第２吹出口１２ｂを介して温風が室内に放出される。尚、前記第１及び第２の各吹出口１２ａ、１２ｂは、第１送風ファン３１から吹出される温風と第２送風ファン４３から吹出される温風空気とが合流するように隣接させて形成している。
【００１８】
次に、図１及び図４を参照して、この器具１の暖房運転を説明する。器具１の停止状態から運転スイッチ２１をＯＮすると（Ｓ１１）、ディスプレイ２２に、前回器具１の暖房運転を停止した際に制御ユニットに記憶された設定が表示され、その設定で暖房運転が開始される。この場合、設定スイッチ２３を押して暖房運転モードを変更したり（Ｓ１２）、設定変更スイッチ２４を押して設定温度を変更したりできる。本実施の形態では、運転モードは、ガスヒータ部３、電気ヒータ部４並びにガスヒータ部３及び電気ヒータ部４の３つから選択できる。そして、所望の設定に変更すると、その運転モードでの暖房運転が行われる（Ｓ１３）。次に、ガス及び電気の各ヒータ部３、４の温度センサＳ１、Ｓ２が正常であるか否かを判別する（Ｓ１４、Ｓ１５）。そして、断線等により温度センサＳ１、Ｓ２が故障していると、ディスプレイ２２に表示される各ヒータ部３、４用の運転／燃焼ランプを点滅させて（Ｓ１６、Ｓ１７）、暖房運転を停止する（Ｓ１８）。
【００１９】
次に、温度センサＳ１、Ｓ２が正常であると判断された後に、温度センサＳ１、Ｓ２が各ヒータ部３、４の異常過熱を検知したりして（Ｓ１９、Ｓ２０）、各ヒータ部３、４の暖房運転を妨げる異常を検知したとき、ディスプレイ２２に表示される各ヒータ部３、４用の運転／燃焼ランプを点滅させ、器具１の暖房運転を一旦全停止する（Ｓ１８）。ここで、器具１に発生した異常によっては専門業者による修理を要する場合もあり、その修理が行われるまでの間、器具１が全面的に使用できないのでは使用者にとって利便が悪い。
【００２０】
本実施の形態では、ヒータ部３、４のいずれかが異常状態のまま運転スイッチ２１を再度ＯＮしたとき、異常が生じていない正常なガスヒータ部３または電気ヒータ部４に自動的に運転モードが設定され、そのヒータ部３、４による暖房運転が行われるようにした（例えば、ガスヒータ部３の温度センサＳ１が異常検知し（Ｓ１９）、暖房運転再開時にこの異常が解除されていないと電気ヒータ部４による暖房運転に設定（※Ａの場合））。
【００２１】
これにより、使用者は、暖房運転が停止されたことで何らかの異常が器具１に発生したことを早期に認識できるので、使用者はこの異常状態を解除するための措置を早期に取ることができて安全性が高い。そして、使用者が異常を認識して運転の再開を指示したとき、前記異常が生じていない他方のガスヒータ部３または電気ヒータ部４を作動して暖房運転を行うことができるので、使用者の利便が図られる。また、運転再開時に正常なガスヒータ部３または電気ヒータ部４に自動的に運転モードが設定されることで、異常が生じているヒータ部３、４が誤って作動されることはなく器具１自体の安全性も高い。
【００２２】
尚、本実施の形態では、各ヒータ部３、４の過熱を防止する温度センサＳ１、Ｓ２によって異常が検知された場合について説明したが、異常検知手段はこれに限定されるものではなく、ヒータ部３、４のいずれか一方の暖房運転を妨げる異常を検知する異常検知手段であればよい。この異常検知手段としては、例えば、上述の酸欠検知手段や電気ヒータの断線を検知する断線検知手段でもよい。
【００２３】
【発明の効果】
以上説明したように、本発明のハイブリット式温風暖房器では、暖房運転中にいずれかのヒータ部に作動を妨げる異常が発生した場合にその異常を使用者が直ちに認識できて安全性が高く、その上、異常が解除されるまでの間も器具を使用できて利便性が高いという効果を奏する。
【図面の簡単な説明】
【図１】本発明のハイブリット式温風暖房器の斜視図
【図２】本発明のハイブリット式温風暖房器の構成を説明する正面図
【図３】本発明のハイブリット式温風暖房器の構成を説明する縦断面図
【図４】本発明のハイブリット式温風暖房器の作動を説明するフロー図
【符号の説明】
１  ハイブリット式温風暖房器
１１  筐体
１２ａ、１２ｂ  吹出口
１３ａ、１３ｂ  吸気口
２  操作部
３  ガスヒータ部
３０  ガスバーナ
３１  第１送風ファン
４  電気ヒータ部
４３  第２送風ファン
【図１】
2004184039.tif 000003
【図２】
2004184039.tif 000004
【図３】
2004184039.tif 000005
【図４】
2004184039.tif 000006